(57)【特許請求の範囲】
【請求項１】
１個以上の操作スイッチとＩＤコードが登録されるＩＤコード記憶部と第１制御部と送信部とを備える携帯用送信機、及び、受信部と参照コードが記憶される参照コード記憶部と第２制御部と制御信号発生部とを備える受信機とからなり、前記携帯用送信機が前記ＩＤコードを含む情報信号を送信し、前記受信機が、受信した前記情報信号中の前記ＩＤコードと前記参照コードとを比較し、それらが一致したときに前記制御信号発生部から被制御機器に制御信号を供給可能になるキーレスエントリー装置であって、前記携帯用送信機は、クロック信号を発生するクロック発生部と、前記クロック発生部が発生したクロック信号をカウントするカウンタとを備え、前記ＩＤコードは、該ＩＤコード全体を複数に区分した複数のＩＤコード区分からなり、前記携帯用送信機は、当該携帯用送信機を所定の時間の間当該携帯用送信機の新たなＩＤを当該携帯用送信機に登録し得るＩＤ登録モードに設定するＩＤ登録モード設定手段と前記ＩＤ登録モードの設定時間を延長する時間延長手段とを備え、前記第１制御部は、前記ＩＤ登録モード設定手段によってＩＤ登録モードに設定されたとき、前記１個以上の操作スイッチのスイッチ操作回数の合計が複数回になるように操作し、スイッチを１回操作する度毎に、その操作タイミングによって前記カウンタによるカウント数値を設定して該設定したカウント数値によって前記ＩＤコード区分を形成し、形成したＩＤコード区分を前記ＩＤコード記憶部に順次供給して前記複数のＩＤコード区分におけるそれぞれのＩＤコード区分を収納するとともに、前記ＩＤコードが形成されるまでは、前記１個以上の操作スイッチを１回操作してＩＤコード区分を形成する度毎に、前記時間延長手段によって前記ＩＤ登録モードの設定時間を延長させることを特徴とするキーレスエントリー装置。
【請求項２】
１個以上の操作スイッチとＩＤコードが登録されるＩＤコード記憶部と第１制御部と送信部とを備える携帯用送信機、及び、受信部と参照コードが記憶される参照コード記憶部と第２制御部と制御信号発生部とを備える受信機とからなり、前記携帯用送信機が前記ＩＤコードを含む情報信号を送信し、前記受信機が、受信した前記情報信号中の前記ＩＤコードと前記参照コードとを比較し、それらが一致したときに前記制御信号発生部から被制御機器に制御信号を供給可能になるキーレスエントリー装置であって、前記携帯用送信機は、クロック信号を発生するクロック発生部と、前記クロック発生部が発生したクロック信号をカウントするカウンタとを備え、前記ＩＤコードは、該ＩＤコード全体を複数に区分した複数のＩＤコード区分からなり、前記携帯用送信機は、当該携帯用送信機を所定の時間の間当該携帯用送信機の新たなＩＤを当該携帯用送信機に登録し得るＩＤ登録モードに設定するＩＤ登録モード設定手段と登録したＩＤを消去するＩＤコード消去手段とを備え、前記第１制御部は、前記ＩＤ登録モード設定手段によってＩＤ登録モードに設定されたとき、前記１個以上の操作スイッチのスイッチ操作回数の合計が複数回になるように操作し、スイッチを１回操作する度毎に、その操作タイミングによって前記カウンタによるカウント数値を設定して該設定したカウント数値によって前記ＩＤコード区分を形成し、形成した各ＩＤコード区分を前記ＩＤコード記憶部に順次供給して前記複数のＩＤコード区分におけるそれぞれのＩＤコード区分を収納するとともに、前記ＩＤコード消去手段の動作時に、前記ＩＤコード記憶部に登録されたＩＤコードを消去させることを特徴とするキーレスエントリー装置。
【請求項３】
前記ＩＤ登録モード設定手段は、前記１個以上の操作スイッチと、前記１個以上の操作スイッチの予め決められた第１の態様の所定操作に起因してＩＤ登録モードを設定する前記第１制御部内のモード制御部とからなることを特徴とする請求項１または２に記載のキーレスエントリー装置。
【請求項４】
前記ＩＤコード消去手段は、前記１個以上の操作スイッチと、前記１個以上の操作スイッチの予め決められた前記第１の態様と異なる第２の態様の所定操作に起因してＩＤ消去モードを設定する前記第１制御部内のモード制御部とからなることを特徴とする請求項２に記載のキーレスエントリー装置。
【請求項５】
前記ＩＤコード消去手段は、手動操作可能なＩＤ消去スイッチと、前記ＩＤ消去スイッチの操作によりＩＤ消去モードを設定する前記第１制御部内のモード制御部とからなることを特徴とする請求項２に記載のキーレスエントリー装置。
【発明の詳細な説明】
【０００１】
本発明は、キーレスエントリー装置に係わり、特に、携帯用送信機からＩＤ（識別）コードを含む情報信号を送信し、受信機で受信した情報信号中のＩＤコードが既登録されている参照コードと一致した際に被制御機器が制御されるもので、携帯用送信機側でＩＤコードの登録及び／または消去を行うことができるキーレスエントリー装置に関する。
【０００２】
【従来の技術】
従来、携帯用送信機と受信機とからなる通信装置であって、携帯用送信機側がＩＤコードを含む情報信号を送信したとき、受信機側が受信した情報信号からＩＤコードを抽出し、そのＩＤコードが受信機側に既登録されている参照コードと一致した際に、受信した情報信号に基づいて、被制御機器の制御が行われるものとしては、例えば自動車のキーレスエントリー装置が知られている。
【０００３】
このキーレスエントリー装置は、キーレスエントリー装置を利用するそれぞれのユーザーが個別に携帯している１台以上の携帯用送信機と、自動車内に設置され、これらの携帯用送信機の操作によって動作する１台の受信機とからなっている。
【０００４】
キーレスエントリー装置を始めとするこの種の通信装置においては、携帯用送信機側から受信機側に情報信号が伝送される際に、ＩＤコードが併せて伝送されるもので、このＩＤコードは、携帯用送信機側のＩＤコード記憶部に収納されており、同時に、受信機側の参照コード記憶部にも同じものが参照コードとして収納されている。
【０００５】
このＩＤコードが利用される通信装置においては、通信装置の出荷時に既に携帯用送信機のＩＤコード記憶部と受信機の参照コード記憶部にそれぞれ格納されているタイプ（タイプ１）のもの、通信装置の出荷時に携帯用送信機のＩＤコード記憶部に格納されているが、受信機の参照（ＩＤ）コード記憶部に格納されておらず、ユーザーが通信装置を購入した後で、携帯用送信機のＩＤコードを用いて受信機の参照（ＩＤ）コード記憶部に格納するタイプ（タイプ２）のもの、通信装置の出荷時に携帯用送信機のＩＤコード記憶部と受信機の参照（ＩＤ）コード記憶部に格納されておらず、ユーザーが通信装置を購入した後で、所定の操作によって携帯用送信機のＩＤコード記憶部にＩＤコードを収納し、その後で、携帯用送信機に格納したＩＤコードを用いて受信機の参照（ＩＤ）コード記憶部に格納するタイプ（タイプ３）のものがある。
【０００６】
ここで、図４及び図５は、本出願人によって提案されているタイプ３の通信装置の構成の一例を示すブロック図であって、図４は携帯用送信機側の構成を示すものであり、図５は受信機側の構成を示すものである。
【０００７】
図４に示されるように、携帯用送信機４０は、１個以上の操作スイッチを備える操作スイッチ部４１と、制御部（ＣＰＵ）４２と、送信部４３と、記憶部（ＥＥＰＲＯＭ）４４と、一時記憶部（ＲＡＭ）４７と、ＥＥＰＲＯＭ４４に内蔵されるＩＤコード記憶部４４1 と、表示部（ＬＥＤ）４５と、送信アンテナ４６とからなる。この場合、操作スイッチ部４１は、ドアロックスイッチ４１1 と、ドアアンロックスイッチ４１2 と、トランク開スイッチ４１3 と、パニックスイッチ４１4 等を備えている。制御部４２は、機能コード変換部４２1 と、送信コード形成部４２2 と、モード制御部４２3 と、ＩＤコード発生部４２4 と、クロック信号発生部４２5 と、カウンタ４２6 とを備えている。表示部４５は、少なくとも１個の発光ダイオード（ＬＥＤ）を備えている。
【０００８】
そして、操作スイッチ部４１と、制御部４２と、送信部４３と、ＲＡＭ４７と、ＥＥＰＲＯＭ４４と、ＩＤコード記憶部４４1 と、表示部４５と、送信アンテナ４６は、図４に図示されるように接続されている。また、操作スイッチ部４１におけるドアロックスイッチ４１1 と、ドアアンロックスイッチ４１2 と、トランク開スイッチ４１3 と、パニックスイッチ４１4 は、図４に図示されるように接続され、制御部４２における機能コード変換部４２1 と、送信コード形成部４２2 と、モード制御部４２3 と、ＩＤコード発生部４２4 と、クロック信号発生部４２5 と、カウンタ４２6 は、同じく図４に図示されるように接続されている。
【０００９】
一方、図５に示されるように、受信機５０は、受信部５１と、制御部（ＣＰＵ）５２と、記憶部５３と、受信アンテナ５５とからなり、外部のイグニッションキー５４からの信号が入力されている。この場合、制御部５２は信号処理部５２1 を内蔵しており、信号処理部５２1 は制御信号発生部５２2 を内蔵している。記憶部５３はＥＥＰＲＯＭからなり、参照（ＩＤ）コード記憶部５３1 と機能コード記憶部５３2 とを内蔵している。
【００１０】
そして、受信部５１と、制御部５２と、記憶部５３と、イグニッションキー５４と、受信アンテナ５５は、図５に図示されるように接続されている。また、制御部５２における信号処理部５２1 と制御信号発生部５２2 は、図５に図示されるように接続され、記憶部５３における参照コード記憶部５３1 と、機能コード記憶部５４2 は、同じく図５に図示されるように接続されている。
【００１１】
ところで、前記構成による携帯用送信機４０及び受信機５０は、ユーザーが取得した時点（製品購入時点）に、未だ、携帯用送信機４０のＩＤコード記憶部４４にＩＤコードが登録されておらず、しかも、受信機５０の参照コード記憶部５３1 にも参照（ＩＤ）コードが登録されていない。このため、ユーザーは、携帯用送信機４０及び受信機５０を使用する前に、携帯用送信機４０のＩＤコード記憶部４５にＩＤコードを登録し、ＩＤコードを登録した携帯用送信機４０を用いて受信機５０にも参照（ＩＤ）コードを収納する必要がある。
【００１２】
図６は、図４に図示された携帯用送信機４０において、ＩＤコード記憶部４５にＩＤコードを登録する際の操作手順の一例を示す説明図である。
【００１３】
図６に図示の説明図を用いて、携帯用送信機４０のＩＤコード記憶部４５にＩＤコードを登録するときの動作を説明すると、次の通りである。
【００１４】
ユーザーは、携帯用送信機４０の操作スイッチ部１の１つ以上の操作スイッチを用いた所定操作、例えば最初にトランク開スイッチ１3 を操作し、その操作が行なわれてから１００ミリ秒以内にトランク開スイッチ１3 とともにドアロックスイッチ１1 を１秒以上操作し、その後でトランク開スイッチ１3 とドアロックスイッチ１1 との操作を停止する所定操作を行うと、モード制御部４２3 がこの所定操作が行なわれたことを検知し、制御部４２をＩＤ登録モードに設定する。制御部４２がＩＤ登録モードに入ると、カウンタ４２6 のリセットを行なった後、クロック信号発生部４２5 から供給されるクロック信号の第１回目のカウントを開始し、モード制御部４２3 から表示部４５の１つのＬＥＤ、例えば赤色ＬＥＤに第１パルス信号を供給する。赤色ＬＥＤは、第１パルス信号の供給により５００ミリ秒の間隔で、２００ミリ秒の間複数回にわたって点灯し、携帯用送信機４０がＩＤ登録モードになったことをユーザーに知らせる。なお、赤色ＬＥＤの断続的な点灯は、携帯用送信機がＩＤ登録モードになっている間中続く。
【００１５】
次に、ユーザーは、携帯用送信機４０の操作スイッチ部１の後から操作したスイッチ、例えばドアロックスイッチ４１1 を１００ミリ秒以上操作した後、ドアロックスイッチ４１1 の操作を停止すると、ＩＤコード発生部４２4 から表示部４５の他のＬＥＤ、例えば緑色ＬＥＤに第２パルス信号が供給され、緑色ＬＥＤを１回だけ５００ミリ秒間点灯する。そして、緑色ＬＥＤの点灯が終了したとき、カウンタ４２6 におけるクロック信号の第１回目のカウント値が確定し、確定したカウント値が一時記憶部を構成するＲＡＭ４７に供給される。このとき、カウンタ４２6 はリセットされ、続いて第２回目のクロック信号のカウントを開始し、ＩＤコード発生部４２4 から赤色ＬＥＤに第１パルス信号が前と同様に複数回供給され、赤色ＬＥＤが断続的に点灯する。
【００１６】
次いで、ユーザーは、ドアロックスイッチ４１1 を再び１００ミリ秒以上操作した後、ドアロックスイッチ４１1 の操作を停止すると、ＩＤコード発生部４２4 から緑色ＬＥＤに再び第２パルス信号が供給され、緑色ＬＥＤを１回だけ５００ミリ秒間点灯する。そして、今回の緑色ＬＥＤの点灯が終了したとき、カウンタ４２6 におけるクロック信号の第２回目のカウント値が確定し、確定したカウント値がＲＡＭ４７に供給される。このとき、カウンタ４２6 がリセットされ、引き続いて第３回目のクロック信号のカウントを開始し、赤色ＬＥＤが断続的に点灯する。
【００１７】
続いて、ユーザーは、ドアロックスイッチ４１1 を三度び１００ミリ秒以上操作した後、ドアロックスイッチ４１1 の操作を停止すると、ＩＤコード発生部４２4 から緑色ＬＥＤに第２パルス信号が供給され、緑色ＬＥＤを１回だけ前の２回よりも長い１秒の間点灯する。そして、今回の緑色ＬＥＤの点灯が終了したとき、カウンタ４２6 におけるクロック信号の第３回目のカウント値が確定し、確定したカウント値がＲＡＭ４７に供給され、次に前記３つのカウント値がＲＡＭ４７から読み出され、合体されてＩＤコード記憶部４４1 に登録される。
【００１８】
この場合、ＲＡＭ４７に収納される前記３つのカウント値は、８ビットづつ３つのエリアに分割収納されるものであり、各エリアには、００００００００から１１１１１１１１までの２５６通りのデータ値の中の１つが収納される。
【００１９】
カウンタ４２6 がリセットされた後に行なわれる第１回目のクロック信号のカウントは、クロック信号の印加毎に００００００００から１１１１１１１１まで順に変化し、１１１１１１１１まで達し後は００００００００に戻り、再び１１１１１１１１に向かって変化する。そして、第１回目の緑色ＬＥＤの点灯が終了したときのカウンタ４２6 のカウント値がＲＡＭ４７の１番目のエリアに収納される。
【００２０】
その後、カウンタ４２6 がリセットされた後に行なわれる第２回目及び第３回目のクロック信号のカウントも、前述の場合と同じで、第２回目の緑色ＬＥＤの点灯が終了したときのカウンタ４２6 のカウント値は、ＲＡＭ４７の２番目のエリアに、第３回目の緑色ＬＥＤの点灯が終了したときのカウンタ４２6 のカウント値は、ＲＡＭ４７の３番目のエリアにそれぞれ収納される。
【００２１】
ＲＡＭ４７の３つのエリアにそれぞれカウント値が収納されると、直ちにＩＤコード発生部４２4 がこれらのカウント値をＲＡＭ４７から読み出し、２４ビットの連続したコードに合成してＩＤコードとし、ＩＤコード記憶部４４1 に登録する。
【００２２】
このように、ＲＡＭ４７に収納されたカウント値は、ユーザーによって行なわれるスイッチの操作タイミングによってランダムに設定され、その設定値は任意に選択できないものである。このため、カウント値を合成し携帯用送信機４０に登録されるＩＤコードと他の携帯用送信機に登録されるＩＤコードとが一致する確率は極めて小さく、互換性を有しない携帯用送信機が得られる。
【００２３】
また、携帯用送信機４０は、制御部４２がＩＤ登録モードになってから１０秒が経過した場合、制御部４２がＩＤ登録モードから通常モードに自動的に復帰し、表示部６の赤色ＬＥＤの点滅が終了する。
【００２４】
そして、図６に図示されるように、第３回目のカウント値が確定し、緑色ＬＥＤの３回目の点灯が終了し、ＩＤコードの登録が終了したとき、制御部４２は、ＩＤ登録モードになってから１０秒が経過する前であっても、ＩＤ登録モードから通常モードに復帰する。
【００２５】
次に、図７は、携帯用送信機４０のＩＤコード記憶部４４1 にＩＤコードを登録する際に、ＩＤコードの登録ができないときの一例を示す動作説明図である。
【００２６】
図７を用いて、ＩＤコードの登録ができないときの動作を説明する。
【００２７】
図７に示すように、携帯用送信機４０の制御部４２がＩＤ登録モードになるまでの動作手順は、既に述べた図６に図示の動作手順と同じである。
【００２８】
ユーザーは、携帯用送信機４０の操作スイッチ部１の後から操作したスイッチ、例えばドアロックスイッチ４１1 を１００ミリ秒以上操作した後でその操作を終了すると、ＩＤコード発生部４２4 から表示部４５の緑色ＬＥＤに第２パルス信号が供給され、緑色ＬＥＤを５００ミリ秒の間点灯する。そして、緑色ＬＥＤの点灯が終了したとき、カウンタ４２6 のクロック信号の第１回目のカウント値が確定し、確定したカウント値がＲＡＭ４７に供給される。このとき、カウンタ４２6 がリセットされ、引き続いて第２回目のクロック信号のカウントを開始し、赤色ＬＥＤが断続的に点灯する。
【００２９】
その後、ユーザーは、携帯用送信機４０の操作スイッチ部１の後から操作したスイッチ、例えばドアロックスイッチ４１1 を操作しないで、制御部４２がＩＤ登録モードに入ってから１０秒が経過すると、制御部４２は、ＩＤ登録モードから通常モードに自動的に復帰する。このときには、第１回目のカウント値が確定されるだけで、第２回目及び第３回目のカウント値が確定されないので、ＩＤコード発生部４２4 は、ＲＡＭ４７に収納された第１回目のカウント値を廃棄し、ＩＤコード記憶部４４1 にＩＤコードの登録が行なわれない。
【００３０】
このＩＤコード記憶部４４1 へのＩＤコードの未登録状態は、第１回目及び第２回目のカウント値が確定された後、制御部４２がＩＤ登録モードから通常モードに自動的に復帰した場合も同じである。
【００３１】
続く、図８は、受信機５０の参照コード記憶部５３1 に、携帯用送信機４０を用いて参照コードの書込みを行なう際の操作手順の一例を示す説明図である。
【００３２】
図８を用い、受信機５０の参照コード記憶部５３1 に参照コードの書込みを行なう際の操作手順について説明する。
【００３３】
ユーザーは、携帯用送信機４０を携帯し、自動車のイグニッションキー５４をアクセサリ（ＡＣＣ）位置からオン（ＯＮ）位置に切替え、信号処理部５２1 にキー入力パルスを供給する。次に、ユーザーは、信号処理部５２1 にキー入力パルスを供給してから時間Ｔ１以内に、携帯用送信機４０の操作スイッチ部１のいずれかのスイッチを操作し、その操作で得られたＩＤコードａを送信コードに変換した後、送信信号として携帯用送信機４０から送信する。受信機５０は、この送信信号を受信部５１で受信した後、信号処理部５２1 に供給し、送信コード中のＩＤコードａを抽出する。次いで、ユーザーは、スイッチ操作を終了してから時間Ｔ２以内にイグニッションキー５４をＯＮ位置からＡＣＣ位置に切替え、信号処理部５２1 へのキー入力パルスの供給を停止する。この時点に、最初の状態に戻り、第１動作サイクルが終了する。
【００３４】
続いて、ユーザーは、第１の動作サイクルにおけるキー入力パルスの供給の停止後時間Ｔ３以内に、再び、第１動作サイクルと同様にイグニッションキー５４と携帯用送信機４０のスイッチを操作し、第１動作サイクルと同じ動作過程を経て第２動作サイクルが終了する。
【００３５】
続いて、第３動作サイクル及び第４動作サイクルにおいても同様の操作が行なわれる。この場合、第４動作サイクルにおいては、キー入力パルスの供給が開始してから時間Ｔ１以内に、信号処理部５２1 で送信コード中のＩＤコードｄを抽出するまでの動作態様は第１乃至第３動作サイクルの動作態様と同じであるが、ＩＤコードｄの供給が停止されてから時間Ｔ４が経過した時点に、信号処理部５２1 を含む制御部５２の動作モードが通常動作モードからＩＤコード書込みモードに変換され、以後、ＩＤ（参照）コードの書込みを行なうことが可能になる。
【００３６】
このＩＤ（参照）コードの書込みを行なう際の操作手順は、次の通りである。
【００３７】
ユーザーは、制御部５２のの動作モードがＩＤコード書込みモードに変換された後、ＩＤコードの書き込みをする携帯用送信機４０を操作し、ＩＤコードｅを含む送信コードを送信信号として送信し、受信機５０側に伝送する。受信機５０の信号処理部５２1 は、キー入力パルスが供給されているときに送信コードが供給されると、送信コードの供給が停止してから時間Ｔ４以内に送信コードの中のＩＤコードを参照コード記憶部５３1 に供給し、参照コード記憶部５３1 に最初のＩＤ（参照）コードの書き込みを行なう。このとき、ＩＤ（参照）コードの書込みが正常に行なわれたことは、例えば、時間Ｔ５の間ドアロック状態またはドアアンロック状態にすることによってユーザーに知らせる。
【００３８】
次に、他の携帯用送信機４０のＩＤ（参照）コード（第２のＩＤコード）の書込みを行いたい場合には、ユーザーは、前記の場合と同様にしてこの携帯用送信機４０を操作し、参照コード記憶部５３1 に第２のＩＤ（参照）コードの書き込みを行う。
【００３９】
以下、同様に、ＩＤ（参照）コードの書込みを行いたい他の携帯用送信機４０があれば、前述のＩＤ（参照）コードの書込みの操作手順と同じ操作手順によりそのＩＤ（参照）コードが参照コード記憶部５３1 に書込まれる。
【００４０】
この場合、制御部５２は、ＩＤコード書込みモードの設定時間Ｔ６が経過すると、ＩＤコード書込みモードから通常動作モードに自動的に復帰する。
【００４１】
続いて、携帯用送信機４０のＩＤコード記憶部４４1 にＩＤコードが登録され、受信部５０の参照コード記憶部５３1 にＩＤコードに対応した参照コードが登録されている場合、携帯用送信機４０と受信部５０との間で行われる動作（通常動作）について述べる。
【００４２】
ユーザーが操作スイッチ部４１のいずれかの操作スイッチ、例えば、自動車のドアをロック（施錠）するロックスイッチ４１1 を操作すると、ロックスイッチ４１1 からその操作をしたことを表すロックスイッチ情報が出力され、機能コード変換部４２1 に供給される。機能コード変換部４２1 は、ロックスイッチ情報を受けると、ロックスイッチ情報をそれに対応した機能コードに変換して送信コード形成部４２2 に供給する。送信コード形成部４２2 は、機能コードが供給されると、その機能コードに、ＩＤコード記憶部４４1 から読み出したこの携帯用送信機４０に固有のＩＤコードや、先頭コード及び終了コード等を付加して送信コードを形成し、形成した送信コードを送信部４３に供給する。送信部４３は、供給された送信コードを電波等の無線信号に載せた送信信号を形成し、この送信信号を送信アンテナ４６から送信する。
【００４３】
一方、受信機５０が携帯用送信機４０からの送信信号を受信アンテナ５５で受けると、受信信号として受信部５１に供給され、受信部５１が受信信号中の送信コードを再生し、得られた送信コードを信号処理部５２1 に供給する。信号処理部５２1 は、供給された送信コード中のＩＤコードを抽出し、抽出したＩＤコードと参照コード記憶部５３1 に登録されている参照コードと比較する。そして、ＩＤコードと参照コードとが一致した場合、送信コード中の機能コードと機能コード記憶部５３2 に収納されている各種の機能コードとを照合する。制御信号発生部５２2 は、照合により合致した機能コードに対応した制御信号、この例においては自動車のドアをロック（施錠）する制御信号を発生し、この制御信号によってドアがロック（施錠）される。
【００４４】
また、操作スイッチ部４１の他の操作スイッチ、例えば自動車のドアをアンロック（解錠）するアンロックスイッチ４２1 を操作した場合、自動車側においてその操作スイッチに対応した機能操作が行われる。
【００４５】
【発明が解決しようとする課題】
前記本出願人によって提案された通信装置は、ユーザーが所持する携帯用送信機４０に、ユーザー自身で登録したＩＤコードが登録され、自己の携帯用送信機４０に登録されたＩＤコードと他人の携帯用送信機４０に登録されたＩＤコードとの一致性が極めて少なく、他の携帯用送信機４０との間でＩＤコードの互換性を有していないという利点を有しているものの、ユーザー自身が携帯用送信機４０にＩＤコードを登録しなければならず、しかも、ＩＤコードの登録時に、制御部４２がＩＤ登録モードに設定されている時間、すなわちＩＤ登録モード設定時間が１０秒という極めて短い時間であるため、ユーザーが第１回目、第２回目、第３回目の所定操作に従ったスイッチ操作を全部行っていない間にＩＤ登録モード設定時間の１０秒が経過し、ＩＤ登録モード設定時間内にＩＤコードの登録を行なうことができないという事態を生じることがある。
【００４６】
この場合、安易に１０秒の時間を延長してしまうと、携帯用送信機４０内の電池を劣化させることになったり、誤操作によるＩＤの変更等の事態を生じることがあったりする。
【００４７】
また、通信装置は、出荷以前に携帯用送信機４０と受信機５０との間の情報伝送テストを行なう際に、携帯用送信機４０のＩＤコード記憶部４４に各携帯用送信機４０に共通な試験用ＩＤコードを登録し、その試験用ＩＤコードを用いて前記情報伝送テストを行なっている。そして、出荷以前に携帯用送信機４０のＩＤコード記憶部４４に試験用ＩＤコードを登録した場合、出荷後にユーザーによるＩＤコードの上書きにより、その試験用ＩＤコードの登録を抹消することはできるものの、ユーザーによるＩＤコードの登録が正規に行なわれない場合、その試験用ＩＤコードが携帯用送信機４０のＩＤコード記憶部４４内に残留し、それがＩＤコードとして利用される懸念があり、その場合は、複数の携帯用送信機４０において共通の試験用ＩＤコードが用いられ、携帯用送信機４０間の互換性が高くなるという事態を生じることがある。
【００４８】
本発明は、このような技術的背景に鑑みてなされたもので、その第１の目的は、複数回の操作により携帯用送信機にＩＤコードを登録する際に、各操作回毎に正規のＩＤコードの登録が行われた場合に限り、ＩＤ登録モード設定時間を延長させるキーレスエントリー装置を提供することにある。
【００４９】
また、本発明の第２の目的は、携帯用送信機にＩＤコード消去手段を設け、携帯用送信機の出荷時等に携帯用送信機に登録されているＩＤコードを消去することを可能にしたキーレスエントリー装置を提供することにある。
【００５０】
【課題を解決するための手段】
前記第１の目的を達成するために、本発明によるキーレスエントリー装置は、１個以上の操作スイッチとＩＤコードが登録されるＩＤコード記憶部と第１制御部と送信部とを備える携帯用送信機、及び、受信部と参照コードが記憶される参照コード記憶部と第２制御部と制御信号発生部とを備える受信機とからなり、携帯用送信機がＩＤコードを含む情報信号を送信し、受信機が、受信した情報信号中のＩＤコードと参照コードとを比較し、それらが一致したときに制御信号発生部から被制御機器に制御信号を供給可能になるキーレスエントリー装置であって、携帯用送信機は、クロック信号を発生するクロック発生部と、クロック発生部が発生したクロック信号をカウントするカウンタとを備え、ＩＤコードは、該ＩＤコード全体を複数に区分した複数のＩＤコード区分からなり、携帯用送信機は、当該携帯用送信機を所定の時間の間当該携帯用送信機の新たなＩＤを当該携帯用送信機に登録し得るＩＤ登録モードに設定するＩＤ登録モード設定手段とＩＤ登録モードの設定時間を延長する時間延長手段とを備え、第１制御部は、ＩＤ登録モード設定手段によってＩＤ登録モードに設定されたとき、１個以上の操作スイッチのスイッチ操作回数の合計が複数回になるように操作し、スイッチを１回操作する度毎に、その操作タイミングによってカウンタによるカウント数値を設定して該設定したカウント数値によってＩＤコード区分を形成し、形成したＩＤコード区分をＩＤコード記憶部に順次供給して複数のＩＤコード区分におけるそれぞれのＩＤコード区分のコードを登録するとともに、前記ＩＤコードが形成されるまでは、全１個以上の操作スイッチを１回操作してＩＤコード区分を形成する度毎に、時間延長手段によって規定のＩＤ登録モード時間を延長させる第１の手段を具備する。
【００５１】
また、第２の目的を達成するために、本発明によるキーレスエントリー装置は、１個以上の操作スイッチとＩＤコードが登録されるＩＤコード記憶部と第１制御部と送信部とを備える携帯用送信機、及び、受信部と参照コードが記憶される参照コード記憶部と第２制御部と制御信号発生部とを備える受信機とからなり、携帯用送信機がＩＤコードを含む情報信号を送信し、受信機が、受信した情報信号中のＩＤコードと参照コードとを比較し、それらが一致したときに制御信号発生部から被制御機器に制御信号を供給可能になるキーレスエントリー装置であって、携帯用送信機は、クロック信号を発生するクロック発生部と、クロック発生部が発生したクロック信号をカウントするカウンタとを備え、ＩＤコードは、該ＩＤコード全体を複数に区分した複数のＩＤコード区分からなり、携帯用送信機は、当該携帯用送信機を所定の時間の間当該携帯用送信機の新たなＩＤを当該携帯用送信機に登録し得るＩＤ登録モードに設定するＩＤ登録モード設定手段と登録したＩＤを消去するＩＤコード消去手段とを備え、第１制御部は、ＩＤ登録モード設定手段によってＩＤ登録モードに設定されたとき、１個以上の操作スイッチのスイッチ操作回数の合計が複数回になるように操作し、スイッチを１回操作する度毎に、その操作タイミングによって前記カウンタによるカウント数値を設定して該設定したカウント数値によってＩＤコード区分を形成し、形成した各ＩＤコード区分をＩＤコード記憶部に順次供給して複数のＩＤコード区分におけるそれぞれのＩＤコード区分のコードを登録するとともに、ＩＤコード記憶部に全てのＩＤコード区分を収納したとき、ＩＤコード消去手段の動作時に、ＩＤコード記憶部に登録されたＩＤコードを消去させる第２の手段を具備する。
【００５２】
前記第１の構成によれば、携帯用送信機の第１制御部に時間延長手段を設け、第１制御部がＩＤ登録モードに設定され、１個以上の操作スイッチを規定のＩＤ登録モード時間内に複数回操作し、複数回の操作に対応したＩＤコードを形成させ、形成したＩＤコードをＩＤコード記憶部に登録する際に、１回の操作によってＩＤコードの一部が形成される度毎に、時間延長手段を駆動して規定のＩＤ登録モード時間を延長させるようにしたので、ユーザーの複数回のスイッチ操作が終了する前にＩＤ登録モード時間が終了し、ＩＤコードの登録ができなくなるという事態の発生を極力避けることが可能になる。
【００５３】
また、前記第２の構成によれば、携帯用送信機の第１制御部にＩＤコード消去手段を設け、携帯用送信機のＩＤコード記憶部に試験用ＩＤコード等の不要なＩＤコードが登録されているとき、その不要なＩＤコードを適宜登録抹消することができるようになり、ユーザーがＩＤコードの登録をしなかった際に、不要なＩＤコードを用いて、携帯用送信機と受信機間の情報伝送を行うことをなくすことができ、複数の携帯用送信機間の互換性が高くなるという事態を避けることが可能になる。
【００５４】
【発明の実施の形態】
以下、本発明の実施の形態を図面を参照して説明する。
【００５５】
図１は、本発明のキーレスエントリー装置における一つの実施の形態を示すブロック図であって、携帯用送信機側の構成を示すものである。
【００５６】
なお、図１に図示された携帯用送信機に対応して使用される受信機は、図５に図示された受信機と同じ構成のものであって、受信機側の動作も既に述べた図５に図示された受信機の動作と同じである。このため、この実施の形態では、携帯用送信機側の構成及び動作だけを説明し、受信機側の構成及び動作の説明を省略する。
【００５７】
図１に示されるように、この実施の形態による携帯用送信機１０は、１個以上の操作スイッチを備える操作スイッチ部１と、制御部（ＣＰＵ）２と、送信部３と、記憶部（ＥＥＰＲＯＭ）４と、一時記憶部（ＲＡＭ）７と、表示部（ＬＥＤ）５と、送信アンテナ６とからなっている。また、操作スイッチ部１は、ドアロックスイッチ１1 と、ドアアンロックスイッチ１2 と、トランク開スイッチ１3 と、パニックスイッチ１4 等を備えている。制御部２は、機能コード変換部２1 と、送信コード形成部２2 と、モード制御部２3 と、ＩＤコード発生部２4 と、クロック信号発生部２5 と、カウンタ２6 と、時間延長部２7 と、ＩＤコード消去部２8 を備えている。記憶部４は、ＩＤコード記憶部４1 を内蔵しており、表示部５は、少なくとも１個の発光ダイオード（ＬＥＤ）を備えている。この場合、１個以上の操作スイッチ１1 乃至１4 を備える操作スイッチ部１とモード制御部２3 とは、ＩＤ登録モード設定手段を構成するとともにＩＤコード消去モード設定手段を構成している。また、ＩＤコード消去モード設定手段とＩＤコード消去部２8 とによってＩＤコード消去手段を構成している。
【００５８】
そして、操作スイッチ部１と、制御部２と、送信部３と、記憶部４と、表示部５と、送信アンテナ６は、図１に図示されるように接続されている。また、操作スイッチ部１におけるドアロックスイッチ１1 と、ドアアンロックスイッチ１2 と、トランク開スイッチ１3 と、パニックスイッチ１4 は、図１に図示されるように接続され、制御部２における機能コード変換部２1 と、送信コード形成部２2 と、モード制御部２3 と、ＩＤコード発生部２4 と、クロック信号発生部２5 と、カウンタ２6 と、時間延長部２7 と、ＩＤコード消去部２8 は、同じく図１に図示されるように接続され、記憶部４におけるＩＤコード記憶部４1 も、図１に図示されるように接続されている。
【００５９】
図２は、図１に図示された携帯用送信機１０において、ＩＤコード記憶部４1 にＩＤコードを登録する際の操作手順の一例を示す説明図である。
【００６０】
図２に図示の説明図を用い、携帯用送信機１０のＩＤコード記憶部４1 にＩＤコードを登録するときの動作を説明する。
【００６１】
ユーザーは、携帯用送信機１０の操作スイッチ部１の１つ以上の操作スイッチを用いた予め決められた所定操作、例えば最初にトランク開スイッチ１3 を操作し、その操作の開始後１００ミリ秒以内にトランク開スイッチ１3 とともにドアロックスイッチ１1 を１秒以上操作した後で、トランク開スイッチ１3 とドアロックスイッチ１1 の操作を終了する所定操作を行うと、モード制御部２3 はこの所定操作が実行されたことを検知し、制御部２をＩＤ登録モードに設定する。制御部２がＩＤ登録モードになると、カウンタ２6 のリセットを行った後、クロック信号発生部２5 から供給されるクロック信号の第１回目のカウントを開始し、モード制御部２3 から表示部５の１つのＬＥＤ、例えば赤色ＬＥＤに第１パルス信号を供給する。赤色ＬＥＤは、第１パルス信号の供給により５００ミリ秒の間隔で、２００ミリ秒の間複数回にわたって点灯し、携帯用送信機１０がＩＤ登録モードになったことをユーザーに知らせる。なお、赤色ＬＥＤの断続的な点灯は、制御部２がＩＤ登録モードにある期間中続行される。
【００６２】
次に、ユーザーは、携帯用送信機１０の操作スイッチ部１の後から操作したスイッチ、例えばドアロックスイッチ１1 を１００ミリ秒以上操作し、制御部２がＩＤ登録モードに設定されてから１０秒が経過する前にドアロックスイッチ１1 の操作を停止すると、カウンタ２6 から時間延長部２7 に確定信号が供給され、それにより時間延長部２7 が制御部２に対してＩＤ登録モード設定時間を一定時間、例えば１０秒だけ延長する。これと同時に、ＩＤコード発生部２4 から表示部５の他のＬＥＤ、例えば緑色ＬＥＤに第２パルス信号が供給され、緑色ＬＥＤを１回だけ５００ミリ秒間点灯させる。そして、緑色ＬＥＤの点灯が終了したとき、カウンタ２6 で行なわれたクロック信号の第１回目のカウント値が確定し、確定したカウント値が一時記憶部を構成するＲＡＭ７に供給される。このとき、カウンタ２6 は、リセットされ、続いて第２回目のクロック信号のカウントを開始する。そして、モード制御部２3 から赤色ＬＥＤに第１パルス信号が前と同様に複数回供給され、赤色ＬＥＤが断続的に点灯する。
【００６３】
次いで、ユーザーは、ドアロックスイッチ１1 を再度１００ミリ秒以上操作し、前回のドアロックスイッチ１1 の操作終了時点から１０秒が経過する前にドアロックスイッチ１1 の操作を停止すると、カウンタ２6 から時間延長部２7 に再び確定信号が供給され、それにより時間延長部２7 が制御部２に対してＩＤ登録モード設定時間を再び一定時間、例えば１０秒だけ延長する。これと同時に、ＩＤコード発生部２4 から緑色ＬＥＤに再び第２パルス信号が供給され、緑色ＬＥＤを１回だけ５００ミリ秒間点灯する。そして、今回の緑色ＬＥＤの点灯が終了したときに、カウンタ２6 で行なわれたクロック信号の第２回目のカウント値が確定し、確定したカウント値がＲＡＭ７に供給される。このとき、カウンタ２6 は、リセットされ、引き続いて第３回目のクロック信号のカウントを開始する。このときも、赤色ＬＥＤに第１パルス信号が供給され、赤色ＬＥＤが断続的に点灯する。
【００６４】
続いて、ユーザーは、ドアロックスイッチ１1 を三度び１００ミリ秒以上操作した後で、ドアロックスイッチ１1 の操作を停止すると、ＩＤコード発生部２4 から緑色ＬＥＤに第２パルス信号が供給され、緑色ＬＥＤを１回だけ前の２回よりも長い１秒間点灯する。そして、今回の緑色ＬＥＤの点灯が終了したとき、カウンタ２6 で行なわれたクロック信号の第３回目のカウント値が確定し、確定したカウント値がＲＡＭ７に供給される。
【００６５】
そして、ＩＤコード発生部２4 は、ＲＡＭ７に第１回目、第２回目、第３回目のカウント値が供給されると、そのカウント値を合成して記憶部（ＥＥＰＲＯＭ）４のＩＤコード記憶部４1 にＩＤコードとして登録する。この後、制御部２は、ＩＤ登録モードから通常動作モードに自動的に復帰する。
【００６６】
この実施の形態においても、ＩＤコード記憶部４1 に登録されるＩＤコードは、前述のように２４ビットのものであり、また、ＲＡＭ７に収納されるカウント値は８ビットづつ第１、第２、第３の３つのエリアに分割収納される。
【００６７】
ところで、図２に図示されるように、時間延長部２7 が制御部２に対してＩＤ登録モード設定時間を延長する時間は、それぞれ１０秒程度であることが好ましいものであるが、特に、１０秒に限定されるものではなく、適宜、１０秒前後の時間を選択するようにしてもよい。
【００６８】
この実施の形態においても、ＩＤコード記憶部４1 に登録されたＩＤコードは、ユーザーによって行なわれるスイッチの操作タイミングによってランダムに設定され、その設定状態を任意に選択することはできないものである。このため、携帯用送信機１０のＩＤコード記憶部４1 に登録されるＩＤコードと他の携帯用送信機１０のＩＤコード記憶部４1 に登録されるＩＤコードとが一致する確率は極めて小さく、互換性を有しない携帯用送信機１０を得ることができる。
【００６９】
次いで、図３は、図１に図示された携帯用送信機１０において、ＩＤコード記憶部４1 に登録されているＩＤコードを消去する際の操作手順の一例を示す説明図である。
【００７０】
図３に図示の説明図を用い、携帯用送信機１０のＩＤコード記憶部４1 に登録されているＩＤコードを消去するときの動作を説明する。
【００７１】
ユーザー（操作者）が、携帯用送信機１０の操作スイッチ部１の１つ以上の操作スイッチを用いた予め決められた第２の所定操作、例えば最初にトランク開スイッチ１3 を操作し、この操作が行なわれてから１００ミリ秒以内にトランク開スイッチ１3 とともにドアロックスイッチ１1 を操作し、これらの操作が行なわれてから１００ミリ秒以内にトランク開スイッチ１3 及びドアロックスイッチ１1 とともにパニックスイッチ１4 をそれぞれ１秒以上操作し、その後にトランク開スイッチ１3 、ドアロックスイッチ１1 、パニックスイッチ１4 の操作を終了する第２の所定操作を行うと、モード制御部２3 はこの第２の所定操作が実行されたことを検知し、制御部２をＩＤ消去モードに設定する。
【００７２】
そして、制御部２がＩＤ消去モードになったとき、モード制御部２3 から表示部５の１つのＬＥＤ、例えば燈色ＬＥＤに第３パルス信号が供給される。燈色ＬＥＤは、第３パルス信号の供給により５００ミリ秒の間隔で、５００ミリ秒間３回にわたって点灯し、携帯用送信機１０がＩＤ消去モードになったことをユーザー（操作者）に知らせる。そして、燈色ＬＥＤへの第３パルス信号の供給が終了した時点に、ＩＤコード消去部２8 からＩＤコード記憶部４1 にＩＤ消去信号が供給され、それによってＩＤコード記憶部４1 に登録されているＩＤコードが消去される。制御部２は、ＩＤコード記憶部４1 に登録されているＩＤコードが消去されると、ＩＤ消去モードから通常動作モードに自動的に復帰する。
【００７３】
このように、この実施の形態による携帯用送信機１０によれば、ユーザーによるＩＤコードの登録がＩＤ登録モード時間の時間切れによってできなくなることを極力少なくすることが可能になり、また、携帯用送信機１０の出荷前に各携帯用送信機１０に対して同一の試験用ＩＤコードを登録し、携帯用送信機１０と受信機との間で効率的な情報伝送試験を行なった後、ＩＤコード消去手段を用いてその試験用ＩＤコードの登録を抹消することにより、出荷後に同一の試験用ＩＤコードが登録されていることにより、携帯用送信機１０間の互換性が高くなって誤動作を生じるのを未然に防ぐことができる。
【００７４】
前記実施の形態においては、ＩＤコード消去手段が１個以上の操作スイッチ１1 乃至１4 を備える操作スイッチ部１を含む例を挙げて説明しているが、ＩＤコード消去手段として独自のＩＤコード消去スイッチを設け、このＩＤコード消去スイッチを操作することにより、ＩＤコード記憶部４1 に登録されているＩＤコードを消去するようにしてもよい。ただし、このＩＤコード消去スイッチは、通常操作されることがないように、携帯用送信機１０の筐体表面に配置するのではなく、隠れた状態で配置することが好ましい。
【００７５】
また、前記実施の形態において挙げているＩＤ登録モード設定時の所定操作、及び、ＩＤ消去モード設定時の第２の所定操作は、それぞれの操作状態の一例を示すに過ぎないもので、操作するスイッチの種別やその数、それらのスイッチの操作時間、操作間隔等は任意に選択することができることは勿論である。
【００７６】
また、前記実施の形態においては、ＩＤコード消去部２8 、ＩＤコード発生部２4 、時間延長部２7 等をブロックダイヤグラム上の部分として説明したが、これらの部分及び他の部分についても、プログラムの一部として構成してもよい。
【００７７】
ここで、携帯用送信機１０のＩＤコード記憶部４1 にＩＤコードが登録された後、その携帯用送信機１０を用いて受信機の参照コード記憶部に参照（ＩＤ）コードを登録する動作経緯は、図４及び図５に図示の携帯用送信機４０及び受信機５０との間で行なわれる既に述べた参照コードを登録する際の動作経緯と同じである。このため、受信機への参照コード登録時の動作経緯の説明は、説明が重複するので省略する。
【００７８】
また、携帯用送信機１０のＩＤコード記憶部４1 にＩＤコードが登録され、受信機の参照コード記憶部に参照コードが登録された後、携帯用送信機１０と受信機との間で行なわれる情報伝送動作も、図４及び図５に図示の携帯用送信機４０及び受信機５０との間で行なわれる既に述べた情報伝送動作と同じである。このため、携帯用送信機１０と受信機との間の情報伝送の説明も、説明が重複するので省略する。
【００７９】
【発明の効果】
以上のように、請求項１に記載の発明によれば、携帯用送信機に時間延長手段を設け、第１制御部がＩＤ登録モードに設定され、１個以上の操作スイッチを規定のＩＤ登録モード設定時間内に、１個以上の操作スイッチのスイッチの操作回数の合計が複数回になるように操作し、スイッチを１回操作する度毎にその操作タイミングによってカウンタによるカウント数値を設定して該設定したカウント数値によってＩＤコード区分を形成し、形成された各ＩＤコード区分をＩＤコード記憶部に登録する際に、前記ＩＤコードが形成されるまでは、スイッチの１回の操作によってＩＤコードの一部であるＩＤコード区分が形成される度毎に、時間延長手段を駆動して規定のＩＤ登録モード時間を一定時間だけ延長するようにしているので、ユーザーによるＩＤ登録時に、１個以上の操作スイッチの複数回のスイッチ操作が終了する前にＩＤ登録モード時間が終了し、ＩＤコードの登録ができなくなるという事態の発生を極力なくすことができるという効果がある。
【００８０】
また、請求項２に記載の発明によれば、携帯用送信機にＩＤコード消去手段を設け、携帯用送信機に試験用ＩＤコード等の不要なＩＤコードが登録されているとき、その不要なＩＤコードを適宜登録抹消させるもので、ユーザーがＩＤコードの登録ができなかった際に、不要なＩＤコードを用いて携帯用送信機と受信機間の情報伝送が行なわれ、複数の携帯用送信機間の互換性が高くなるという事態を避けることができるという効果がある。
【図面の簡単な説明】
【図１】  本発明のキーレスエントリー装置における一つの実施の形態を示すブロック図であり、携帯用送信機側の構成を示すものである。
【図２】図１に図示された携帯用送信機において、ＩＤコード記憶部にＩＤコードを登録する際の操作手順の一例を示す説明図である。
【図３】図１に図示された携帯用送信機において、ＩＤコード記憶部に登録されているＩＤコードを消去する際の操作手順の一例を示す説明図である。
【図４】既提案されているタイプ３の通信装置の携帯用送信機側の構成の一例を示すブロック図である。
【図５】既提案されているタイプ３の通信装置の受信機側の構成の一例を示すブロック図である。
【図６】図４に図示された携帯用送信機において、ＩＤコード記憶部にＩＤコードを登録する際の操作手順の一例を示す説明図である。
【図７】携帯用送信機のＩＤコード記憶部にＩＤコードを登録する操作時に、ＩＤコードの登録ができなかったときの一例を示す動作説明図である。
【図８】受信機の参照コード記憶部に携帯用送信機を用いて参照コードの書込みを行なう際の操作手順の一例を示す説明図である。
【符号の説明】
１  操作スイッチ部
１1   ドアロックスイッチ
１2   ドアアンロックスイッチ
１3   トランク開スイッチ
１4   パニックスイッチ
２  第１制御部（ＣＰＵ）
２1   機能コード変換部
２2   送信コード形成部
２3   モード制御部
２4   ＩＤコード発生部
２5   クロック信号発生部
２6   カウンタ
２7   時間延長部
２8   ＩＤコード消去部
３  送信部
４  記憶部（ＥＥＰＲＯＭ）
４1   ＩＤコード記憶部
５  表示部（ＬＥＤ）
６  送信アンテナ
７  一時記憶部（ＲＡＭ）
１０  携帯用送信機
【図１】
0004022346.tif 000002
【図２】
0004022346.tif 000003
【図３】
0004022346.tif 000004
【図４】
0004022346.tif 000005
【図５】
0004022346.tif 000006
【図６】
0004022346.tif 000007
【図７】
0004022346.tif 000008
【図８】
0004022346.tif 000009